(57)【要約】【課題】デッドボルトが扉枠等に当たることを防止し、簡便に電気錠の点検作業できる電気錠制御装置の提供。【解決手段】扉クローザの自閉力で閉扉する扉に突出入するデッドボルトの動作を制御するマイクロプロセッサ２を備え、このデッドボルトによって扉の施解錠を行う電気錠の動作を制御する電気錠制御装置１において、マイクロプロセッサ２は、扉が閉扉したときの反動により生じる繰り返し開閉の振動周期Ｔを扉開閉状態検出手段３の検出信号に基づいて算出する振動周期演算手段１２と、予め記憶された振動比較情報と振動周期Ｔとを比較して振動時間ｔＦを算出する振動時間演算手段１３とを有し、振動時間ｔＦが基準時間Ｔａを越えていなければ、デッドボルトを初期時間Ｔ０で突出させ、振動時間ｔＦが基準時間Ｔａを越えていれば、デッドボルトを初期時間Ｔ０よりも遅延させた突出延長時間（ｔＦ＋Ｔｄ）で突出させるように制御する。【選択図】図１
2010077723.tif 000002
【特許請求の範囲】
【請求項１】
開閉可能な扉と、前記扉を自閉力で閉扉させる扉クローザと、前記扉の開閉状態を検出する扉開閉状態検出手段と、前記扉に突出入可能に設けられたデッドボルトと、前記デッドボルトの動作を制御する制御手段とを備え、前記デッドボルトを突出入させて前記扉の施解錠を行う電気錠の動作を制御すると共に、前記電気錠の施錠時の異常を通信回線を介して監視センターに通報する電気錠制御装置において、
前記制御手段は、
前記扉が閉扉したときの反動により生じる繰り返し開閉の振動周期を前記扉開閉状態検出手段の検出信号に基づいて算出する振動周期演算手段と、
予め記憶された振動比較情報と前記振動周期とを比較して振動時間を算出する振動時間演算手段とを有し、
前記振動時間が予め決められた基準時間を越えていなければ、前記デッドボルトを予め決められた初期時間で突出させ、前記振動時間が前記基準時間を越えていれば、前記デッドボルトを前記初期時間よりも遅延させた突出延長時間で突出させるように制御することを特徴とする電気錠制御装置。
【請求項２】
請求項１の記載において、前記制御手段は、前記突出延長時間が予め決められた最大時間に達したとき、前記監視センターに前記電気錠の施錠時の異常を通報することを特徴とする電気錠制御装置。
【発明の詳細な説明】
【技術分野】
【０００１】
本発明は、扉クローザの自閉力で自動的に閉扉する扉に備えられたデッドボルトによって扉の施錠・解錠を行う電気錠の動作を制御する電気錠制御装置に関するものである。
【背景技術】
【０００２】
現在、マンション等の建物には、扉に取り付けられたテンキーに暗証番号を入力あるいはカードリーダに磁気カードを読み込ませるだけで自動的に扉の施錠・解錠を行う電気錠とこの電気錠を制御する電気錠制御装置が設置されてきており、利用者にとって建物や部屋への入出が簡便になってきている。電気錠制御装置にはいくつか種類があるが、その一つとして、扉に取り付けられるデッドボルトと、扉に設置されて自閉力で自動的に扉を閉扉させる扉クローザと、扉の開閉状態を検出する扉開閉状態検出手段とを備えた電気錠制御装置があり、この電気錠制御装置は、扉が扉クローザで自動的に閉扉し、扉開閉状態検出手段で閉扉状態を検出してデッドボルトを突出入させることによって、扉の施錠・解錠を行う電気錠の動作を制御している。
【０００３】
電気錠制御装置は、防犯上や安全上の観点から扉の施錠・解錠が確実に行われる必要があり、施工時の調整や定期的な保守点検を行うことによって、電気錠の故障や不具合の原因を早期に発見し、適切に修理あるいは対処しなければならない。そこで、このような電気錠制御装置の電気錠の保守点検もしくは定期点検を適切かつ容易に行うために、予め電気錠の種別及び故障原因を判断する機能を備えた電気錠制御装置が従来より提案されている（例えば、特許文献１参照）。
【０００４】
この特許文献１に開示された従来の電気錠制御装置は、制御手段を備え、この制御手段から出力される所定のパルス列を電気錠のソレノイド又はモータに印加した後、この印加したパルス列に対して電気錠の種別固有のパルス列を制御手段に入力し、予め記憶した電気錠の種別に対応するパルス列と比較することによって、電気錠の種別を検出する。また、この電気錠制御装置は電気錠のソレノイド又はモータに流れた電流値から電気錠の異常の有無を検出する検出手段を備えている。これらにより、従来の電気錠制御装置は予め電気錠の種別及び故障原因を判断することができる。
【特許文献１】特許第３０８３７７０号公報
【発明の開示】
【発明が解決しようとする課題】
【０００５】
しかしながら、電気錠の扉は、扉の経年による扉の不具合や、扉もしくは扉クローザの調整不良等によって、開扉した後に扉クローザの自閉力で閉扉したときの反動で再び開き、以後このような開閉を繰り返す振動（以下、扉開閉繰り返し振動と呼ぶ）が生じる場合がある。この場合、電気錠制御装置から施錠の動作制御を受けた電気錠がデッドボルトを突出させると、扉開閉繰り返し振動により、デッドボルトが扉枠等にあたり、物理的にデッドボルトが最後まで突出しない状態で扉が止まって施錠状態不良となる。あるいは、デッドボルトが扉枠等にあたる度に、電気錠が再度施錠の動作制御を受けてデッドボルトの突出入を繰り返すことになる。このとき、施錠のリトライ動作回数に上限がある場合、容易に施錠のリトライ動作回数の上限に達し、施錠動作が中止となって施錠状態不良となる。そのため、扉開閉繰り返し振動による電気錠の施錠時の異常が生じる度に、電気錠の点検をしなければならないという問題があった。このように従来の電気錠制御装置は、予め電気錠の種別及び故障原因を判断することはできるが、電気錠の異常発生自体を減少させるものではないため、電気錠の保守点検もしくは点検作業を頻繁に行わなければならず、作業が煩雑である。
【０００６】
本発明は、このような従来技術の実情に鑑みてなされたもので、その目的は、デッドボルトが扉枠等に当たることを防止し、簡便に電気錠の点検作業を行うことができる電気錠制御装置を提供することにある。
【課題を解決するための手段】
【０００７】
上記の目的を達成するために、本発明の電気錠制御装置は、開閉可能な扉と、前記扉を自閉力で閉扉させる扉クローザと、前記扉の開閉状態を検出する扉開閉状態検出手段と、前記扉に突出入可能に設けられたデッドボルトと、前記デッドボルトの動作を制御する制御手段とを備え、前記デッドボルトを突出入させて前記扉の施解錠を行う電気錠の動作を制御すると共に、前記電気錠の施錠時の異常を通信回線を介して監視センターに通報する電気錠制御装置において、前記制御手段は、前記扉が閉扉したときにその反動により生じる繰り返し開閉の振動周期を前記扉開閉状態検出手段の検出信号に基づいて算出する振動周期演算手段と、予め記憶された振動比較情報と前記振動周期とを比較して振動時間を算出する振動時間演算手段とを有し、前記振動時間が予め決められた基準時間を越えていなければ、前記デッドボルトを予め決められた初期時間で突出させ、前記振動時間が前記基準時間を越えていれば、前記デッドボルトを前記初期時間よりも遅延させた突出延長時間で突出させるように制御することを特徴としている。
【０００８】
このように構成された本発明の電気錠制御装置では、制御手段は、デッドボルトを振動時間演算手段によって得られた振動時間及び予め決められた基準時間に基づいて、初期時間あるいは突出延長時間のどちらか一方の時間で突出させるように制御するので、扉開閉繰り返し振動がなくなってからデッドボルトを突出させることができる。これにより、デッドボルトが扉枠等にあたることを防止することができるので、物理的にデッドボルトが最後まで突出しない状態で扉が止まる、あるいは電気錠が再度施錠の動作制御を受けてデッドボルトの突出入を繰り返すことによって生じる施錠状態不良を解消することができ、電気錠の施錠時の異常発生を減少させることができる。
【０００９】
また、本発明の電気錠制御装置では、制御手段は、突出延長時間が予め決められた最大時間に達したとき、監視センターに電気錠の施錠時の異常を通報することを特徴としている。このように構成すると、扉もしくは扉クローザの不具合あるいは調整不良等が生じた時点において、電気錠の点検及び調整作業を行うことができるので、電気錠の点検及び調整作業を適切かつ迅速に行うことができる。
【発明の効果】
【００１０】
本発明の電気錠制御装置では、扉開閉繰り返し振動がなくなってからデッドボルトを突出させることができ、デッドボルトが扉枠等にあたることを防止することができるので、デッドボルトが最後まで出ない状態で扉が止まる、あるいは電気錠が再度施錠の動作制御を受けてデッドボルトの突出入を繰り返す施錠状態不良を解消することができる。これにより、電気錠の施錠時の異常発生を減少させることができ、電気錠の保守点検もしくは点検作業を頻繁に行う必要がないので、作業を簡便に行うことができる。
【発明を実施するための最良の形態】
【００１１】
発明の実施の形態について図面を参照して説明すると、図１は本発明の実施形態に係る電気錠制御装置の構成を示すブロック図、図２は該電気錠制御装置の動作を示すフローチャートである。
【００１２】
図１に示すように、本発明の実施形態に係る電気錠制御装置１は、制御手段としてのマイクロプロセッサ２と、扉の開閉状態を検出する扉開閉状態検出手段３と、電気錠ドライブ回路４と、通信インターフェイス５と、カードリーダドライブ回路６とを備え、図示しない扉の施錠・解錠を自動的に行う複数の電気錠７１〜７ｎと、これら電気錠７１〜７ｎにそれぞれ対応した複数のカードリーダ８１〜８ｎとにそれぞれ電気的に接続されるとともに、これら電気錠７１〜７ｎに生じた異常が通報される監視センター９に一般回線１０を介して遠隔的に接続されている。また、各カードリーダ８１〜８ｎに予め入室許可されている図示しない磁気カード等をそれぞれ翳すことによって磁気カード等に格納された認証情報が電気錠制御装置１へ送信される。
【００１３】
各電気錠７１〜７ｎは、扉を自閉力で閉扉させる図示しない扉クローザと、突出入させることによって扉の施錠・解錠を行う図示しないデッドボルトとを備え、それぞれ電気錠ドライブ回路４及び扉開閉状態検出手段３に接続されている。
【００１４】
マイクロプロセッサ２は、扉開閉繰り返し振動の周期と比較する振動比較情報や後述する各種情報を格納する記憶手段１１と、扉開閉状態検出手段３の検出信号に基づいて扉開閉繰り返し振動の周期を算出する振動周期演算手段１２と、この扉開閉繰り返し振動の周期と振動比較情報と比較して算出する振動時間演算手段１３とを備えている。電気錠ドライブ回路４は、マイクロプロセッサ２に接続されており、この電気錠ドライブ回路４を介してマイクロプロセッサ２から施錠・解錠信号が各電気錠７１〜７ｎへ送信されることによって、各電気錠７１〜７ｎの施錠・解錠が行われる。また、扉開閉状態検出手段３は、マイクロプロセッサ２に接続され、検出した各電気錠７１〜７ｎの扉の開閉状態及び施錠・解錠状態の情報をマイクロプロセッサ２に送信する。さらに、一般回線１０に接続された通信インターフェイス５がマイクロプロセッサ２に接続されており、マイクロプロセッサ２は、この記憶手段１１に格納された各種情報に基づいて各電気錠７１〜７ｎの動作を制御するとともに、各電気錠７１〜７ｎの異常を判断した場合に通信インターフェイス５を介して監視センター９に通報する。
【００１５】
一方、各カードリーダ８１〜８ｎは、マイクロプロセッサ２にカードリーダドライブ回路６を介してそれぞれ接続されており、磁気カード等に書き込まれた認証情報、例えば磁気カード毎に書き込まれた独特のＩＤコード情報がこのカードリーダドライブ回路６を介してマイクロプロセッサ２に送信される。また、監視センター９は、一般回線１０に接続される通信インターフェイス１４と、この通信インターフェイス１４を介してマイクロプロセッサ２から電気錠７１〜７ｎの異常情報が送信される制御装置１５と、この制御装置１５に従ってこの送信された異常情報を格納する記憶装置１６とを備えている。
【００１６】
次に、本発明の実施形態に係る電気錠制御装置１の一連の動作について説明する。まず、各電気錠７１〜７ｎの扉は通常閉扉状態であり、デッドボルトが扉から突出されて施錠されている。このとき、すでに扉開閉状態検出手段３によって扉の閉扉状態及び施錠状態信号がマイクロプロセッサ２に送信されている。次に、利用者が扉を開く際に、磁気カードをカードリーダ８ｎに翳すと、磁気カードの情報がカードリーダドライブ回路６を介してマイクロプロセッサ２に送信される。そして、マイクロプロセッサ２は記憶手段１１に予め格納されている認証情報に基づいて解錠の許可を判断し、許可された場合、マイクロプロセッサ２は電気錠ドライブ回路４を介して電気錠７ｎに解錠信号を送信する。電気錠７ｎが解錠信号を受信すると、デッドボルトを扉に突入させることによって解錠し、利用者が扉を開いて入室する。利用者が入室後、扉クローザの自閉力によって扉が自動的に閉扉する。このとき、扉開閉状態検出手段３によって扉の閉扉状態信号がマイクロプロセッサ２に送信され、マイクロプロセッサ２は電気錠ドライブ回路４を介して電気錠７ｎに施錠信号を送信する。電気錠７ｎが施錠信号を受信すると、デッドボルトを扉から突出させることによって施錠し、施錠が完了すると扉開閉状態検出手段３によって施錠状態信号がマイクロプロセッサ２に送信されて一連の施解錠動作が完了する。
【００１７】
一方、上述したようにこれら電気錠７１〜７ｎの扉は、経年による不具合又は扉クローザの調整不良等によって、開扉した後に扉クローザの自閉力で閉扉したときの反動で再び開き、このような開閉を繰り返す扉開閉繰り返し振動が生じる場合がある。以下、この場合における本発明の実施形態に係る電気錠制御装置１の一連の動作について主として図２のフローチャートを参照して説明する。
【００１８】
まず、利用者が扉を開けて入室後、扉クローザの自閉力によって扉が自動的に閉扉し、扉開閉状態検出手段３によって閉扉状態信号がマイクロプロセッサ２に送信される。このとき、扉が閉扉した反動によって扉が再び開くと、扉開閉状態検出手段３によって開扉状態信号がマイクロプロセッサ２に再び送信される（Ｓ１）。そして、扉が再び閉扉して閉扉状態信号がマイクロプロセッサ２に再度送信される。
【００１９】
ここで、便宜的に、この扉が閉扉した反動によって扉が再び開扉する時間をｔ１、再度扉が閉扉する時間をｔ２、扉開閉繰り返し振動の周期をＴ、及び扉開閉繰り返し振動の時間をｔＦとすると、振動周期演算手段１２は、扉開閉状態検出手段３によって検出した扉開閉状態の変化ΔＴ＝ｔ２−ｔ１から扉開閉繰り返し振動の周期Ｔを計算する（Ｓ２）。そして、振動時間演算手段１３がこの計算した扉開閉繰り返し振動の周期Ｔと振動比較情報と比較して扉開閉繰り返し振動の時間ｔＦを算出する（Ｓ３）。例えば、この振動比較情報を横軸が扉開閉繰り返し振動の周期Ｔ、縦軸が扉開閉繰り返し振動の時間ｔＦのＴ−ｔＦ対応表又はＴ−ｔＦグラフとし、扉開閉繰り返し振動の周期Ｔに対して扉開閉繰り返し振動の時間ｔＦが一次的に決まるものであり、かつ扉の規格に応じたものとすると、振動周期演算手段１２から得られた扉開閉繰り返し振動の周期ＴとこのＴ−ｔＦ対応表又はＴ−ｔＦグラフと比較することによって、扉開閉繰り返し振動の時間ｔＦを算出する。
【００２０】
次に、マイクロプロセッサ２は、振動時間演算手段１３から得られた扉開閉繰り返し振動の時間ｔＦを予め記憶手段１１に格納された基準時間Ｔａの情報と比較し、扉開閉繰り返し振動の時間ｔＦが基準時間Ｔａを越えているか否かの判断を行う（Ｓ４）。マイクロプロセッサ２は、扉開閉繰り返し振動の時間ｔＦが基準時間Ｔａを超えていなければ（ｔＦ≦Ｔａ）、通常通りに予め記憶手段１１に格納された初期時間Ｔ０でデッドボルトを扉から突出させて一連の動作を終える。
【００２１】
一方、マイクロプロセッサ２は、扉開閉繰り返し振動の時間ｔＦが基準時間Ｔａを越えていれば（Ｔａ＜ｔＦ）、扉開閉繰り返し振動の時間ｔＦが予め記憶手段１１に格納された最大時間Ｔｍａｘに達しているか否かの判断を行う（Ｓ５）。マイクロプロセッサ２は、扉開閉繰り返し振動の時間ｔＦが記憶手段１１に格納された最大時間Ｔｍａｘに達していなければ（Ｔａ＜ｔＦ＜Ｔｍａｘ）、Ｔｄ＝（施錠遅延時間＋１）を入力する（Ｓ６）。この入力がされると、マイクロプロセッサ２は、扉開閉繰り返し振動の時間ｔＦに後述のＴｄを加えた突出延長時間ｔＦ＋Ｔｄ、すなわち扉開閉繰り返し振動開始（ｔ＝０）からｔＦ＋Ｔｄ後にデッドボルトを突出させるように、電気錠ドライブ回路４を介して電気錠７ｎへの施錠信号の送信を遅らせる。そして、マイクロプロセッサ２は、電気錠制御装置１を施錠遅延時間＋１が入力された状態から通常の状態に戻すために、施錠遅延時間＋１をリセットし、一連の動作を終了する（Ｓ９）。
【００２２】
ここで、前述のＴｄは、扉開閉繰り返し振動がなくなると同時にデッドボルトが突出することを防ぐために、デッドボルトを突出させる時間を少し遅らせる時間であり、予め記憶手段１１に格納されている。例えばＳ５、Ｓ６において、扉開閉繰り返し振動の時間ｔＦを７秒、基準時間Ｔａを５秒、最大時間Ｔｍａｘを１０秒、及びＴｄを０．５秒とすると、マイクロプロセッサ２は、扉開閉繰り返し振動の時間７秒が基準時間５秒を越えており、かつ最大時間１０秒に達していないので（Ｓ５）、扉開閉繰り返し振動の時間７秒にＴｄの０．５秒を加え（Ｓ６）、この突出延長時間７．５秒後に、デッドボルトを突出させる。これにより、デッドボルトが扉枠等にあたることを防止することができるので、物理的にデッドボルトが最後まで突出しない状態で扉が止まる、あるいは電気錠７ｎが再度施錠の動作制御を受けてデッドボルトの突出入を繰り返すことによって生じる施錠状態不良を解消することができ、電気錠７ｎの施錠時の異常発生を減少させることができる。
【００２３】
Ｓ５において、扉開閉繰り返し振動の時間ｔＦが最大時間Ｔｍａｘに達していれば（Ｔｍａｘ≦ｔ）、マイクロプロセッサ２は、扉施錠不良状態として異常を検知し、通信インターフェイス５を介して監視センター９へ通報する（Ｓ７）。この通報によって保守員が電気錠７ｎが設置されている建物に出向き、扉開閉繰り返し振動の時間ｔＦが最大時間Ｔｍａｘに達した電気錠７ｎを点検及び修理し、電気錠７ｎを復旧させて一連の動作を終える（Ｓ８）。
【００２４】
このように構成した本発明の電気錠制御装置１によれば、Ｓ２において振動周期演算手段１２が扉開閉状態検出手段３によって得られた扉開閉状態の変化ΔＴ＝ｔ２−ｔ１から扉開閉繰り返し振動の周期Ｔを計算し、Ｓ３において振動時間演算手段１３がこの扉開閉繰り返し振動の周期Ｔと振動比較情報と比較することによって、扉開閉繰り返し振動の時間ｔＦを算出する。そして、Ｓ４においてマイクロプロセッサ２が、この扉開閉繰り返し振動の時間ｔＦが基準時間Ｔａを越えているか否かを判断し、扉開閉繰り返し振動の時間ｔＦが基準時間Ｔａを越えていないとき（ｔＦ≦Ｔａ）、デッドボルトを予め決められた初期時間Ｔ０に突出させ、扉開閉繰り返し振動の時間ｔＦが基準時間Ｔａを越えているとき（Ｔａ＜ｔＦ）、Ｓ６において扉開閉繰り返し振動の時間ｔＦにＴｄを加えた突出延長時間ｔＦ＋Ｔｄ、すなわち扉開閉繰り返し振動開始（ｔ＝０）からこのｔＦ＋Ｔｄ後にデッドボルトを突出させるように制御することができる。そのため、扉開閉繰り返し振動がなくなってからデッドボルトを突出させることができ、デッドボルトが扉枠等にあたることを防ぐことができるので、デッドボルトが最後まで出ない状態で扉が止まる、あるいは電気錠７１〜７ｎが再び施錠の動作制御を受けてデッドボルトの突出入を繰り返す施錠状態不良を防止することができ、電気錠７１〜７ｎの施錠時の異常発生を減少させることができる。これにより、電気錠７１〜７ｎの保守点検もしくは点検作業を頻繁に行う必要がないので、作業を簡便に行うことができる。
【００２５】
また、Ｓ５においてマイクロプロセッサ２は、扉開閉繰り返し振動の時間ｔＦが最大時間Ｔｍａｘに達していると判断すると（Ｔｍａｘ≦ｔＦ）、扉施錠不良状態として異常を検知し、監視センター９へ通報するので、扉もしくは扉クローザの不具合あるいは調整不良等が生じた時点で、電気錠７１〜７ｎの点検及び調整作業を行うことができる。これにより、電気錠７１〜７ｎの点検及び調整作業を適切かつ迅速に行うことができる。
【図面の簡単な説明】
【００２６】
【図１】本発明の実施形態に係る電気錠制御装置の構成を示すブロック図である。
【図２】該電気錠制御装置の動作を示すフローチャートである。
【符号の説明】
【００２７】
１  電気錠制御装置
２  マイクロプロセッサ
３  扉開閉状態検出手段
４  電気錠ドライブ回路
５  通信インターフェイス
６  カードリーダドライブ回路
７ｎ  電気錠
８ｎ  カードリーダ
９  監視センター
１０  一般回線
１１  記憶手段
１２  振動周期演算手段
１３  振動時間演算手段
１４  通信インターフェイス
１５  制御装置
１６  記憶装置
【図１】
2010077723.tif 000003
【図２】
2010077723.tif 000004